(57)【要約】【課題】  高価なフラッシュメモリの容量を増加することができ、しかも、動画と静止画との時間的或いは位置的な関連も容易に把握することが可能な画像音声蓄積装置を提供する。【解決手段】  メモリカード１３５に外部データを記録するカード記録モードと、メモリカード１３５からディスク１３３に当該メモリカード内のデータを一括転送する一括転送モードとを具備し、デジタルカメラ画像のメモリカードを装着し、ディスクにコピーする。また、ディスクにコピーされたメモリカードのデータを読み出し、正常にディスク記録媒体にコピーされたことを確認したら、メモリカードのデータを消去する。更に、ディスクの動画再生を行う際に、動画と同一時刻に撮影された静止画が存在する場合には、画面の一部に所定時間、当該静止画を表示する。【選択図】        図１
2006148683.tif 000002
【特許請求の範囲】
【請求項１】
動画音声或いは静止画を記録するディスク記録媒体及びメモリカードを装着可能な画像音声蓄積装置であって、前記メモリカードに外部データを記録するカード記録モードと、前記メモリカードから前記ディスク記録媒体に当該メモリカード内のデータを一括転送する一括転送モードとを有することを特徴とする画像音声蓄積装置。
【請求項２】
前記ディスク記録媒体にコピーされたメモリカードのデータを読み出し、正常にディスク記録媒体にコピーされたことを確認したら、前記メモリカードのデータを消去することを特徴とする請求項１に記載の画像音声蓄積装置。
【請求項３】
前記ディスク記録媒体の動画再生を行う際に、前記動画と同一時刻に撮影された静止画が存在する場合には、画面の一部に所定時間、当該静止画を表示することを特徴とする請求項１又は２に記載の画像音声蓄積装置。
【請求項４】
前記ディスク記録媒体の動画再生を行う際に、前記動画と同一時刻で、且つ、同一場所で撮影された静止画が存在する場合には、画面の一部に所定時間、当該静止画を表示することを特徴とする請求項１又は２に記載の画像音声蓄積装置。
【発明の詳細な説明】
【技術分野】
【０００１】
本発明は、撮影した画像と音声を蓄積する画像音声蓄積装置、特に、メモリカードを装着することが可能な画像音声蓄積装置に関するものである。
【背景技術】
【０００２】
近年、画像音声記録再生装置、例えば、カムコーダ（カメラ付きレコーダ）においてもディスク媒体を用いることでランダムアクセス性を向上し、簡便なインデックス編集を行えるものも出回っている。更に、動画に加えて静止画機能も充実し、静止画はディスク以外にフラッシュメモリ等のメモリカードにも書き出すことが可能な機種もある。しかしながら、動画撮影が主目的であるので静止画撮影を主目的とするデジタルカメラに比べて画質が劣るのは歪めない。
【０００３】
これは、動画用撮像デバイス（ＣＣＤ等）と光学系を使用する以上は避けられないことである。そのため、撮影にはカムコーダとデジタルカメラを合わせて持ち歩くことはまだまだ続きそうである。この場合には、安価な記録媒体のディスクに加えてデジタルカメラ用に高価なフラッシュメモリも携行しなければならないのが実情である。また、カムコーダやデジタルカメラで撮影した画像の時間的、位置的な関連も後で撮影者が思い出して整理する必要があり、面倒で不確かである。
【０００４】
特開２００３−０８７６１５号公報には、複数のデジタルカメラ間でグループを構成し、代表デジタルカメラを決めて、それに画像データを無線で集約する技術が開示されている。
【特許文献１】特開２００３−０８７６１５号公報
【発明の開示】
【発明が解決しようとする課題】
【０００５】
カムコーダとデジタルカメラを用いて撮影するような場合には、上述のように安価なディスクと高価なフラッシュメモリを使用することになるため、高価なフラッシュメモリの空き容量を極力増加するような工夫をすることが必要である。また、特許文献１には、上述のように事前に決めたグループ間で画像を代表カメラに無線により実時間で集約する技術が記載されているが、再生時の動画と静止画の時間的或いは位置的な関連付けに関しては言及されていなかった。
【０００６】
本発明の目的は、高価なフラッシュメモリの容量を増加でき、しかも、動画と静止画との時間的或いは位置的な関連も容易に把握することが可能な画像音声蓄積装置を提供することにある。
【課題を解決するための手段】
【０００７】
本発明は、上記目的を達成するため、動画音声或いは静止画を記録するディスク記録媒体及びメモリカードを装着可能な画像音声蓄積装置であって、前記メモリカードに外部データを記録するカード記録モードと、前記メモリカードから前記ディスク記録媒体に当該メモリカード内のデータを一括転送する一括転送モードとを有することを特徴とする。
【発明の効果】
【０００８】
本発明によれば、画像音声データの記録或いは再生機能に加えてデジタルカメラ等のメモリカードを記録媒体とする機器のデータの記録も行え、且つ、メモリカードからディスク記録媒体にデータを一括転送することにより高価なメモリカードの空き容量を増加させることができる。また、動画の表示画面の一部に同一時刻或いは同一場所で撮影された静止画を表示することにより、動画と取り込んだ静止画との時間的関係或いは位置的関係が明確となり、シーンの確認や編集の助けとなる。
【発明を実施するための最良の形態】
【０００９】
次に、発明を実施するための最良の形態について図面を参照して詳細に説明する。図１は本発明に係る画像音声蓄積装置の一実施形態を示すブロック図である。本発明の画像音声蓄積装置は、主にカメラ部１０、システム制御部１１、表示部１２、蓄積部１３から構成されている。
【００１０】
カメラ部１０はフォーカスレンズ１０１、ＩＲＩＳ１０２、ＣＣＤ１０３、カメラ信号処理回路１０４、ＡＤＣ１０５、カメラ制御部１０６から構成されている。システム制御部１１はシステムコントローラ１１１、ワークメモリ１１３、ＲＴＣ１１４、ＧＰＳ１１５を含んでいる。
【００１１】
表示部１２はＬＣＤドライバー１２１、ＬＣＤ部１２４、ＤＡＣ１２３等から構成され、蓄積部１３はＣＯＤＥＣ１３１、ディスクドライブ１３２、メモリカードスロット１３４等から構成されている。ディスクドライブ１３２にはディスク１３３が装着され、撮影された画像音声データはディスク１３３に記録される。また、メモリカードスロット１３４にメモリカード（フラッシュメモリ）１３５が装着可能に構成されている。他のデジタルカメラ等で撮影されたデータはメモリカード１３５に記録可能であり、更に、メモリカード１３５のデータはディスク１３３に記録可能に構成されている。
【００１２】
ダイヤルスイッチ１１２はモードを切り替えるスイッチであり、ダイヤルスイッチ１１２を操作することによって、静止画の記録モード、動画の記録モード、電源オン／オフ、カード静止画の記録モード（他のデジタルカメラ等からの外部データをメモリカード１３５に記録するモード）、カードからコピー（メモリカード１３５のデータをディスク１３３にコピーするモード）を選択することが可能である。また、１１６は再生ボタン、１１７は記録ボタンを示す。なお、図１では音声データを記録する構成要素に関しては省略している。
【００１３】
図２はメモリカード１３５のデータをディスク１３３にコピーするモードが選択された場合の動作を示すフローチャートである。まず、他のデジタルカメラで撮影した画像データはそのデジタルカメラに装着されたメモリカードに記録される。その後、メモリカードをデジタルカメラから抜き出してメモリカードスロット１３４に装着し、ダイヤルスイッチ１１２を「電源／切り」から「カードからコピー」に切り替える。
【００１４】
システム制御部１１のシステムコントローラ１１１はダイヤルスイッチ１１２で「カードからコピー」が選択されたことを確認すると（Ｓ１０１）、メモリカード１３５がメモリカードスロット１３４に装着されているかを確認し（Ｓ１０２）、装着されていることを確認すると、メモリカード１３５のファイル番号ＮをＮ＝１とする（Ｓ１０３）。Ｎはメモリカードのファイルに付与された番号であり、ファイルの古い順に若い番号が付与され、Ｎ＝１のファイルはメモリカードの最も古いファイルデータを示す。
【００１５】
次いで、システム制御部１１は各部を制御し、メモリカード１３５の最も古いデータを読み出し、ディスクドライブ１３２でそのデータをディスク１３３に記録する（Ｓ１０４）。その後、ディスク１３３にコピーしたデータを読み出し、メモリカード１３５のオリジナルデータと比較して正常にコピーできたか否かを確認するベリファイを行う（Ｓ１０６）。正常にコピーできたことを確認すると、システム制御部１１は各部を制御してメモリカード１３５のＮ＝１のファイルデータを消去する（Ｓ１０７）。
【００１６】
その後、メモリカード１３５のファイル番号Ｎ＝Ｎ＋１とし（Ｓ１０８）、全てのメモリカード１３５のファイルを消去したかを判定する（Ｓ１０９）。この場合は、最も古いデータを消去したばかりであるので、Ｓ１０４からの処理を行い、メモリカードの２番目に古いＮ＝２のデータ、３番目に古いＮ＝３、…、というようにメモリカード１３５のデータを古い順にディスク１３３にコピーし、メモリカード１３５のそれに対応するデータを消去していく。一方、この一連の処理の途中のＳ１０６でベリファイエラーが発生した場合には、ディスクエラーとして処理を終了する。このようにメモリカード１３５のデータをディスク１３３にコピーすることにより、メモリカード１３５の空き容量を増加させることができる。
【００１７】
次に、本実施形態では、ディスク１３５の動画再生を行う際に、動画と同一時刻に撮影された静止画（メモリカードからコピーされた静止画）が存在する場合には、再生画面の一部に所定の時間、当該静止画を表示することが可能である。
【００１８】
具体的には、まず、ダイヤルスイッチ１１２を「動画」にすると、システム制御部１１はカメラモードとなり、カメラ部１０のカメラ制御部１０６に撮像処理を指示する。カメラ制御部１０６はフォーカスレンズ１０１、ＩＲＩＳ１０２を制御し、ＣＣＤ１０３に映像を写し込む。カメラ信号処理回路１０４はＣＣＤ１０３の画像信号を適切なレベルの電気信号に変換し、この電気信号はＡＤＣ１０５によりデジタル信号に変換され、表示部１２と蓄積部１３に送られる。表示部１２では入力された電気信号をＬＣＤドライバー１２１でＬＣＤ用電気信号に変換し、ＬＣＤ部１２１の画面に撮影した映像を表示する。
【００１９】
ここで、記録ボタン１１７を押下すると、システム制御部１１のシステムコントローラ１１１はＣＯＤＥＣ１３１にエンコード開始を指示し、これを受けてＣＯＤＥＣ１３１はカメラ部１０のＡＤＣ１０５から送られてくる動画情報をＭＰＥＧ等の動画圧縮方式で圧縮し、ディスクドライブ１３２に転送する。更に、システムコントローラ１１１はディスク１３３への記録を指示する。この時、システムコントローラ１１１はＲＴＣ１１４からの撮影時の日時情報を取得し、ＣＯＤＥＣ１３１に送る。ＣＯＤＥＣ１３１はこれらの日時情報を合わせてディスクドライブ１３２に転送し、ディスク１３３に記録を行う。
【００２０】
また、図１のダイヤルスイッチ１１２を「動画」にし、再生する動画ファイルを選択して再生ボタン１１６を押下すると、システム制御部１１のシステムコントローラ１１１は選択された動画ファイルの撮影開始日時情報と撮影終了日時情報（これらの情報は撮影時にメモリに記録されている）を読み込み、事前にメモリカード１３５からコピーした静止画の撮影日時情報（この情報もメモリに記録されている）と比較する。そして、撮影日時が動画の撮影時間（撮影開始から撮影終了まで時間）に含まれている静止画の再生リストを高速アクセスが可能なワークメモリ１１３上に作成する。なお、再生リストを準備する準備動作には、ディスク１３３へのヘッドのシーク動作等を考慮すると、１秒〜数秒程度必要である。
【００２１】
図３（ａ）は撮影した動画を再生する場合の撮影開始時の動画、図３（ｂ）は所定時間後の動画の一部に静止画が表示された状態、図３（ｃ）は更に所定時間後の動画の一部に静止画が表示された状態を示す。また、図４は動画の撮影時刻と静止画の撮影時刻を関連付けて示す。図５は上述の再生リストの一例を示す。
【００２２】
ここで、動画を再生する場合には、まず、図３（ａ）に示すように撮影開始時刻の動画が表示される。再生中にはシステム制御部１１は一般的に動画のフィールドレートの割り込み信号にて時間管理を行うので、その中で、再生リストの先頭の０００２．ｊｐｇの撮影時刻が到来したかを比較する。その時刻が到来したならば、システム制御部１１は図３（ｂ）に示すように画面の一部に静止画像をスーパインポーズする。スーパインポーズの具体的な方法は詳しく後述する。
【００２３】
その後、再生リストの次の０００３．ｊｐｇの撮影時刻が到来したかを同様に比較し、その間、図３（ｃ）に示すように静止画は変わらないが動画は更新していく。更に、０００３．ｊｐｇの撮影時刻が到来したならば不図示ではあるが、静止画部分を０００２．ｊｐｇから０００３．ｊｐｇへと切り替える。以上の動作を撮影終了時刻まで継続する。
【００２４】
次に、ＭＰＥＧ動画像の中にＪＰＥＧ静止画像をスーパインポーズする具体的な方法について説明する。図６はＣＯＤＥＣ１３１の詳細なブロック図、図７はスーパインポーズ時の画面アドレスを示す図である。なお、図６は動画像コーディクにＭＰＥＧ方式を、静止画像コーディクにＪＰＥＧ方式を使用した場合の例を示す。また、他の文字やグラフィックスの回路ブロックが入る場合もあるが省略する。
【００２５】
図７に示すように読み出しアドレス（ＭＸｍｉｎ，ＭＹｍｉｎ）は全画面表示のＭＰＥＧ画像の左上の画像アドレスであり、一般的には（０，０）である。また、（ＭＸｍａｘ，ＭＹｍａｘ）は右下の画像アドレスであり、ＮＴＳＣ方式の場合には、（７１９，４７９）であるが、周辺部に縁取りや文字表示領域を入れる場合もあるのでこの限りではない。
【００２６】
図６において、太線は再生時の信号経路であり、ディスクドライブ１３２からＭＰＥＧやＪＰＥＧのデータが再生され、それぞれのＣＯＤＥＣ６０１、６０２でデコードされ、画像として再生マルチプレクサ６０３に送られる。静止画のスーパインポーズがなく、動画のみを表示する場合には、システム制御部１１はマルチプレクサ６０３にＭＰＥＧ  ＣＯＤＥＣ６０１のからの出力をＬＣＤドライバー１２１やＤＡＣ１２３に出力するように選択信号ＪＶＡＬＩＤをローレベルにネゲートしておく。
【００２７】
次に、システム制御部１１は上述のように静止画撮影時刻が到来し、静止画のスーパインポーズを行うタイミングになると、画面の画像アドレス（ｘ，ｙ）を読み出すタイミングが静止画をスーパインポーズする部分に入った場合、つまり、ここでは図７の画面右下の矩形内部の静止画像領域であり、
ＪＸｍｉｎ＜＝ｘ＜＝ＪＸｍａｘ  且つ  ＪＹｍｉｎ＜＝ｙ＜ＪＹｍａｘ
のタイミングで選択信号ＪＶＡＬＩＤをハイレベルにアサートする。これにより、再生マルチプレクサ６０３は選択信号ＪＶＡＬＩＤがハイレベルの期間だけＪＰＥＧ  ＣＯＤＥＣ６０２の出力をＬＣＤドライバー１２１やＤＡＣ１２３に出力する。従って、図７の右下の矩形内部の静止画像領域のみが静止画のＪＰＥＧ  ＣＯＤＥＣ６０２の出力に切り替えられ、スーパインポーズを実現できる。
【００２８】
このように動画の表示画面の一部にその動画と同一時刻に撮影された静止画を表示することにより、撮影した動画像と取り込んだ静止画像との時間関係が明確となるため、シーンの確認や編集の助けとなり、使い勝手を向上することができる。
【００２９】
次に、本実施形態では、上述のように動画と同一時刻に撮影された静止画を画面の一部に表示するだけでなく、撮影場所を限定するためほぼ同一の場所で撮影された静止画を画面の一部に表示することが可能である。本実施形態では、図８に示すように動画撮影者はＡ地点で撮影を行い、静止画撮影者は同様にＡ地点で０００１．ｊｐｇから０００４．ｊｐｇまで静止画の撮影を行い、その後、Ａ地点から相当距離離れたＢ地点に移動して０００５．ｊｐｇから０００６．ｊｐｇまで静止画を撮影したと仮定する。
【００３０】
まず、図１のダイヤルスイッチ１１２を「動画」にし、再生する動画ファイルを選択して再生ボタン１１６を押下すると、システム制御部１１のシステムコントローラ１１１は選択された動画ファイルの撮影開始日時情報と撮影終了日時情報（これらの情報は撮影時にメモリに記録されている）を読み込み、事前にメモリカード１３５からコピーした静止画の撮影日時情報（この情報もメモリに記録されている）と比較する。また、この場合には、動画撮影時にＧＰＳ１１５から位置情報を取得し、図示しないメモリに格納しておく。
【００３１】
次に、システム制御部１１は撮影日時が動画の撮影時間（撮影開始から撮影終了までの時間）に含まれている静止画であって、且つ、ほぼ同一の場所（Ａ地点）で撮影された静止画の再生リストを高速アクセスが可能なワークメモリ１１３上に作成する。再生リストを準備する準備動作には、ディスク１３３へのヘッドのシーク動作等を考慮すると、１秒〜数秒程度必要である。
【００３２】
図９はこの場合の再生リストを示す。図９に示すように再生リストには同一時刻で且つ同一場所で撮影された静止画という条件であるため、Ａ地点で撮影された０００２．ｊｐｇ〜０００４．ｊｐｇの静止画がリストアップされる。この再生リストの静止画が先の説明と同様に撮影された動画を表示する場合に、表示画面の一部に表示される。なお、デジタルカメラで静止画を撮影する場合にも、ＧＰＳを利用して位置情報を取得し、メモリに格納しておく必要がある。
【００３３】
ここで、動画と静止画が同一場所で撮影されたと判断する方法の一例について説明する。この場合には、上述のようにデジタルカメラで静止画を撮影する場合も、本実施形態の装置で動画を撮影する場合も位置情報（経度緯度情報）を取得するのが前提である。
【００３４】
まず、経度はその定義から９０度が１００００Ｋｍであるので、経度方向の距離はＡ地点とＢ地点の距離の経度方向の成分＝Ａ地点とＢ地点の経度差／９０度×１００００Ｋｍである。この値が所定の距離（例えば、１００ｍ）以上であれば別地点と判断し、それ以下であれば経度方向の距離を計算する。経度は経度＝０度の赤道上以外は補正が必要となり、Ａ地点とＢ地点の距離の経度方向成分＝Ａ地点とＢ地点の経度差×ＣＯＳ（Ａ地点の経度）×１００００Ｋｍとなる。この値が所定の距離（例えば、１００ｍ）以上であれば別地点であると判断し、それ以下であれば同一地点と判断する。
【図面の簡単な説明】
【００３５】
【図１】本発明の画像音声蓄積装置の一実施形態を示すブロック図である。
【図２】図１の実施形態の動作を説明するフローチャートである。
【図３】本発明による動画撮影時刻が静止画撮影時刻と同一である時に動画の表示画面の一部に静止画を表示する例を説明する図である。
【図４】動画撮影と静止画撮影の時刻を関連付けて説明する図である。
【図５】静止画再生リストの一例を示す図である。
【図６】図１のＣＯＤＥＣを詳細に示すブロック図である。
【図７】スーパインポーズ時における画面アドレスを説明する図である。
【図８】本発明による動画撮影時刻が静止画撮影時刻と同一で且つ撮影場所が同一である時に動画の表示画面の一部に静止画を表示する例を説明する図である。
【図９】図８の場合の静止画再生リストの一例を示す図である。
【符号の説明】
【００３６】
１０  カメラ部
１１  システム制御部
１２  表示部
１３  蓄積部
１０１  フォーカスレンズ
１０２  ＩＲＩＳ
１０３  ＣＣＤ
１０４  カメラ処理回路
１０５  ＡＤＣ
１０６  カメラ制御部
１１１  システムコントローラ
１１２  ダイヤルスイッチ
１１３  ワークメモリ
１１４  ＲＴＣ
１１５  ＧＰＳ
１１６  再生ボタン
１１７  記録ボタン
１２１  ＬＣＤドライバー
１２３  ＤＡＣ
１２４  ＬＣＤ部
１３１  ＣＯＤＥＤ
１３２  ディスクドライブ
１３３  ディスク
１３４  メモリカードスロット
１３５  メモリカード
６０１  ＭＰＥＧ  ＣＯＤＥＣ
６０２  ＪＰＥＧ  ＣＯＤＥＣ
６０３  再生マルチプレクサ
【図１】
2006148683.tif 000003
【図２】
2006148683.tif 000004
【図３】
2006148683.tif 000005
【図４】
2006148683.tif 000006
【図５】
2006148683.tif 000007
【図６】
2006148683.tif 000008
【図７】
2006148683.tif 000009
【図８】
2006148683.tif 000010
【図９】
2006148683.tif 000011